(57)【要約】      （修正有）【課題】騒音を減衰するのに適した掘削装置用ケーシングを提供する。【解決手段】ケーシング（７）が、前記掘削装置の送りビーム（４）に取り付け可能であり、ケーシング（７）と送りビーム（４）の少なくとも一部とが、一緒に、前記掘削装置の掘削機（５）を収容する騒音減衰ハウジング構成体を画定し、かつ、前記掘削装置の送りビーム（４）と送りビームホルダ（３）との間の相対運動を可能にするようにされ、前記ハウジング構成体が、前記掘削装置の騒音発生部分をシールするように配置され、前記ケーシング（７）の壁が、少なくとも一側に吸音材料が被覆された一つ又は幾つかのパネルを備えていることを特徴とする。【選択図】図４
2010196467.tif 000002
【特許請求の範囲】
【請求項１】
特に、騒音を減衰するのに適した掘削装置用ケーシング（７）において、
該ケーシング（７）が、前記掘削装置の送りビーム（４）に取り付け可能であり、
ケーシング（７）と送りビーム（４）の少なくとも一部とが、一緒に、前記掘削装置の掘削機（５）を収容する騒音減衰ハウジング構成体（８）を画定し、かつ、
前記掘削装置の送りビーム（４）と送りビームホルダ（３）との間の相対運動を可能にするようにされ、
前記ハウジング構成体（８）が、前記掘削装置の騒音発生部分をシールするように配置され、
前記ケーシング（７）の壁が、少なくとも一側に吸音材料が被覆された一つ又は幾つかのパネルを備えている
ことを特徴とする掘削装置用ケーシング。
【請求項２】
ケーシング（７）に、
送りビーム（４）に対して並行な側壁と、
送りビーム（４）のリアエンド（４２）に位置し、ケーシング（７）のその端部を塞ぐ端壁と
が設けられている
ことを特徴とする請求項１に記載のケーシング。
【請求項３】
ケーシング（７）が、固定手段（７２）によって送りビーム（４）に直接的に取り付け可能である
ことを特徴とする請求項１に記載のケーシング。
【請求項４】
固定手段（７２）が、送りビーム（４）からケーシング（７）を取り外すことを可能にする
ことを特徴とする請求項３に記載のケーシング。
【請求項５】
ケーシング（７）が、掘削機を、送りビーム（４）のリアエンド（４２）から送りビーム（４）のドリルエンド（４１）の近くの部分まで収容する
ことを特徴とする請求項１に記載のケーシング。
【請求項６】
ハウジング構成体（８）が、ホース及び／又はケーブルのためのシールされた入口連結部を有する
ことを特徴とする請求項１に記載のケーシング。
【請求項７】
ハウジング構成体（８）が、さらに、掘削装置用の自動ハンドリング装置及びロッドサプライを収容する
ことを特徴とする請求項１に記載のケーシング。
【請求項８】
ケーシングに、少なくとも一つのドア（７１）が設けられ、前記少なくとも一つのドア（７１）が遠隔制御可能である
ことを特徴とする請求項１に記載のケーシング。
【請求項９】
ケーシングの一部が透明である
ことを特徴とする請求項１に記載のケーシング。
【請求項１０】
レーザ基準面用レシーバが、ハウジング構成体の外面に設けられている
ことを特徴とする請求項１に記載のケーシング。
【請求項１１】
前記掘削装置の送りビーム（４）と送りビームホルダ（３）との間の前記相対運動が、送りビームホルダ（３）に対してケーシング（７）が取り付けられた送りビーム（４）が移動することを可能にする相対運動である
ことを特徴とする請求項１に記載のケーシング。
【請求項１２】
特に、騒音を減衰するのに適した掘削装置用ケーシング（７）であって、該ケーシング（７）が、前記掘削装置の送りビーム（４）に取り付け可能であり、ケーシング（７）と送りビーム（４）の少なくとも一部とが、一緒に、前記掘削装置の掘削機（５）を収容する騒音減衰ハウジング構成体（８）を画定し、かつ、前記掘削装置の送りビーム（４）と送りビームホルダ（３）との間の相対運動を可能にするようにされ、前記ハウジング構成体（８）が、前記掘削装置の騒音発生部分をシールするように配置され、前記ケーシング（７）の壁が、少なくとも一側に吸音材料が被覆された一つ又は幾つかのパネルを備えているケーシング（７）を備えた掘削装置。
【発明の詳細な説明】
【技術分野】
【０００１】
本発明は、請求項１の前文に従った掘削装置用ケーシングに関し、特に、騒音を減衰することに適した掘削装置用ケーシングに関する。また、本発明は、そのような掘削装置用ケーシングを備えた掘削装置に関する。
【背景技術】
【０００２】
様々な種類の掘削装置が騒音を引き起こす。特に、表面又は地下の掘削に用いられる削岩装置のような重たい掘削装置は騒音を引き起こす。
【０００３】
一般的に、削岩装置（図１）は、可動キャリア、ブーム及び送りビームを備え、前記送りビームは、例えば、送りビームホルダを介してブームに接続されている。送りビーム及び送りビームホルダは、少なくとも送りビームの全長の一部に沿って相互に移動可能であり、送りビームとブームとの間の相対運動を可能にする。掘削機は、送りビームに沿って移動可能であり、ドリルストリングを地面の中に押し進めるよう作用する。ドリルストリングは、ドリルポイント（ドリルビット）と連結ロッドとを備えている。
【０００４】
騒音は、例えば、掘削機で、また、ドリルポイントで発生する。従って、周辺に発生した騒音を減衰することが望まれる。掘削機で発生した騒音を遮断するための様々な構成が公知である。
【０００５】
米国特許第３６６７５７１号には、掘削機及び送りビームを収容する多層構造ハウジングが開示されている。送りビームは、緩衝部材を介してハウジング内に吊り下げられ、それにより、位置決め及び全体構造が不安定であり、現在の掘削装置には適用できない。
【０００６】
国際公開ＷＯ０２／０７０８５６号には、掘削機及び送りビームを収容する可撓性シートから成るハウジングが開示されている。縦長の開口が設けられており、この開口により、作業者が、掘削工程を監視することが可能になり、ドリルストリングにロッドを接続することが可能になる。このハウジングは、バーを介して送りビームに固定されている。細長い開口が、ある程度まで周囲に騒音を漏らすと考えられる。さらにまた、開口を小さくすれば騒音は減少するが、作業者による監視やロッドの接続が困難になる。
【０００７】
特開平０５−０７９２７１号には、送りビーム上で移動可能な掘削機を収容する他の種類のハウジングが示されている。
【０００８】
国際公開ＷＯ００／３９４１２号には、送りビームに設けられたハウジングが開示されており、前記ハウジングが掘削機及び送りビームを収容する。また、前記ハウジングは送りビームホルダも収容する。そのハウジングは、ブラケットを介して送りビームに取り付けられ、送りビームとブームとの間の動きを可能にする開口が設けられている。その開口には、所謂、「ノイズカーテン」と呼ばれる開口をシールするためのブラシの毛状の部材(bristles）が設けられている。ノイズカーテンがあるにも拘わらず、騒音は開口を通して周辺に広がる。さらにまた、ハウジングに設けられたハッチが比較的小さいため、例えば、接合の監視が困難になる。
【０００９】
従来技術のハウジングの大きな問題点は、それらが、騒音発生部材の騒音を減衰し、同時に、送りビームと送りビームホルダとの間の相対運動を可能にすることを失敗していることにある。
【先行技術文献】
【特許文献】
【００１０】
【特許文献１】米国特許第３６６７５７１号
【特許文献２】国際公開ＷＯ０２／０７０８５６号
【特許文献３】特開平０５−０７９２７１号
【特許文献４】国際公開ＷＯ００／３９４１２号
【発明の概要】
【００１１】
本発明の目的は、騒音発生部材をシールし、同時に、送りビームと送りビームホルダとの間の相対運動を可能にする構成体を得ることにある。この目的は、請求項１の特徴部分に記載された特徴によって達成される。
【００１２】
他の目的は、容易にアクセスすることができ、かつ、作業中に構成体の中を見ることを可能にすることにある。この目的は、従属項に記載された特徴により達成される。
【００１３】
好ましい実施の形態は、従属項に記載されている。
【００１４】
主要な特徴によれば、本発明は、特に、騒音を減衰するのに適した掘削装置用ケーシングであって、該ケーシングが、前記掘削装置の送りビームに取り付け可能であり、ケーシングと送りビームの少なくとも一部とが、一緒に、前記掘削装置の掘削機を収容する騒音減衰ハウジング構成体を画定し、かつ、前記掘削装置の送りビームと送りビームホルダとの間の相対運動を可能にするようにされ、前記ハウジング構成体が、前記掘削装置の騒音発生部分をシールするように配置され、前記ケーシングの壁が、少なくとも一側に吸音材料が被覆された一つ又は幾つかのパネルを備えている掘削装置用ケーシングに関する。
前記ハウジング構成体は、送りビームの一側面をシーリング面として使用し、騒音発生装置を収容し、同時に、送りビームと送りビームホルダとの間の相対運動を可能にする。
【００１５】
他の特徴によれば、本発明によるケーシングは、遠隔制御され及び／又は透明なドアを有する。開放可能なドアは、保守や監視のためのハウジングの内部へのアクセスを容易にするという利点を有する。ドアが遠隔制御され、及び／又はドアが透明であると、作業者は、席から離れる必要がないため時間を節約できる。
本発明のこれらの特徴及び他の特徴並びに利点は、以下の説明及び添付図面から明らかになる。
【図面の簡単な説明】
【００１６】
【図１】削岩装置の概略図である。
【図２】本発明によるケーシングを備えた掘削装置の斜視図である。
【図３】開口ドアを有するケーシングを備えた掘削措置の斜視図である。
【図４】本発明の概略断面図である。
【発明を実施するための最良の形態】
【００１７】
図１は、可動キャリア１、ブーム２、及び送りビーム４を備えた削岩装置の概略図を示している。前記送りビーム４は、送りビームホルダ３を介してブーム２に接続されている。送りビーム４及び送りビームホルダ３は、送りビーム４の全長の少なくとも一部分に沿って相互に移動可能である。掘削機５は、送りビーム４に移動可能に取り付けられている。掘削機５は送りビーム４に沿って移動可能であり、ドリルストリング６３に作用する。ドリルストリング６３は、ドリルポイント（ドリルビット）及び連結ロッド６（図１には示されていない。）を備えている。送りビーム４には、例えば、ロッド操作用装置、ボルト締め用装置及び火薬装填用装置(equipment for loading of explosive)のような他の装置が取り付けられ得る。
【００１８】
送りビーム４はドリルエンド４１を備え、掘削時に、このドリルエンド４１からドリルポイントが突き出る。また、送りビーム４はドリルエンド４１と対向するリアエンド４２を有する。送りビーム４の第一及び／又は第二の部分４１１，４１２が、ドリルエンド４１の近くに配置されている。第一の部分４１１は、送りビーム４に対して固定され、第二の部分４１２は送りビーム４に対して長手方向に移動可能である。第一及び／又は第二の部分４１１，４１２は、ドリルガイド又は送りビーム４における同種の構成体によって構成され得る。
【００１９】
図２〜図４を参照すると、本発明によるハウジング構成体８は、ケーシング７及び前記送りビーム４を備えている。従って、送りビーム４は、ハウジング構成体８の一部分である。
【００２０】
図面に示されたハウジング構成体８は横断面が実質的に角形であるが、ハウジング構成体８は、収容する装置に合った任意の適当な形態で、かつ、ケーシング７の材料に合った適当な形態で構成され得る。
【００２１】
好ましくは、ハウジング構成体８は、例えば、電気、空気、オイル、水及び粉塵収集用ホース／ケーブルのためのシールされた入口連結部（図示せず）を有する。
【００２２】
ケーシング７は、送りビーム４に直接取り付け可能である。ケーシング７及び送りビーム４の少なくとも一部は、掘削機５及び送りビーム４に取り付けられる可能性のある他の装置を収容し、送りビーム４と送りビームホルダ３との間の相互の運動を可能にする。
【００２３】
削岩機に自動ロッドハンドリング装置が設けられていても、ハウジング構成体８が自動ロッドハンドリング装置及びロッドサプライ(rod supply)も収容し得るので（図４参照）、自動ロッドハンドリング装置がハウジング構成体８によって妨害されることはない。
【００２４】
ケーシング７は、任意の適当な固定手段７２、例えば、ボルトによって送りビーム４に取り付け可能である。この方法では、ケーシング７は、送りビームホルダ３に対して、送りビーム４と共に移動する。固定手段７２は、交換や保守を可能にするために、ケーシング７を送りビーム４から取り外せるようにすることを可能にする。
【００２５】
ケーシング７は、掘削機を、送りビーム４のリアエンド４２から送りビームのドリルエンド４１に近い部分まで、好ましくは、送りビーム４に固定された前記第一の部分４１１まで覆う。ケーシング７は、送りビーム４に対して並行な側壁と、送りビーム４のリアエンド４２の位置にあり、ケーシング７のその端部を塞ぐ端部壁とを有する。従って、ケーシング７と送りビーム４とが、一緒に、掘削機の周辺の騒音減衰ハウジング構成体８を形成する。
【００２６】
ケーシング７の壁は、例えば、プラスチックや任意の他の適当な材料から成り、少なくとも一側に吸音材料が被覆された一つ又は幾つかのパネルを備えている。吸音材料は、発泡材料(foam)であり得、また、構造体騒音減衰マット(structure-borne sound dampening mat)と発泡材料(foam)又は他の適当な騒音減衰材料との組み合わせであり得る。パネル材料及び吸音材料は透明であり得る。
【００２７】
ロッド６の接合、保守及び／又は監視を行うために、好ましくは、少なくとも一つのドア７１がケーシング７に設けられる（図２及び図３参照）。前記少なくとも一つのドア７１は、操作者のイス／運転室からの監視を容易にするために、操作者によって遠隔制御され得る。
【００２８】
ハウジング構成体８が角形である場合、ドア７１は、ハウジング構成体８の中へのアクセスを容易にするために二つの側面によって構成され得る。ドア７１は、ケーシング７の全長の比較的小さな部分又は比較的大きな部分に沿って配置され得る。
【００２９】
ケーシング７の一部（側壁又はドア）は透明であり得、それにより、ドア７１を開けることなく動作を監視し得ることが可能になる。透明部分には、良好な視界を維持するために任意の適当な清掃装置が設けられ得る。
【００３０】
掘削作業の準備をする時、掘削装置キャリア１は、掘削が実施されるべき場所まで移動する。掘削機５を備えた送りビーム４は、ブーム２及び送りビームホルダ３の補助により、作業ポイントの上方位置に置かれる。
【００３１】
ケーシング７が送りビーム４に取り付けられているので、各機械を完全に収容する減衰ハウジング構成体８は、送りビームホルダ３に対して移動可能な送りビーム４の動きに追従する。
【００３２】
従って、本発明によるハウジング構成体は、掘削機５、ロッドハンドリング装置６及び送りビームに取り付けられる他の装置を収容し、同時に、送りビーム４と送りビームホルダ３との間の相対運動を可能にする。また、本発明によるハウジング構成体は、送りビーム４（掘削機械に面した側）を粉塵や泥から保護することも可能にする。
【００３３】
第一ドリルロッド６は、掘削械５によって、岩石の内部に力を付与すると同時に、騒音を発生させる。第一ドリルロッド６が岩石を貫くように、いくつかのロッド６が、続けて、ドリルストリング６３に接合される。操作者は、例えば、接合、自動接合の監視、又は掘削作業の監視を行うために、一つ又は複数のドア７１を開き得る。ケーシング７の一部が透明であると、作業者は、それを通して作業を監視することができる。
【００３４】
また、本発明によるハウジング構成体は、地質工学的掘削装置(geotechnical drilling equipment)等のような、掘削と同種の作業を行う他の装置にも使用され得る。
【００３５】
本発明によるハウジング構成体は、製造時に掘削装置に装着され得るが、勿論、既存の掘削装置に本発明によるハウジング構成体を設けることも可能である。ケーシングは、交換や保守を可能にするために取り外し得る。
【００３６】
ハウジング構成体は、ハウジング構成体の外面上にレーザ基準面用のレシーバを位置決めすることを可能にし、レーザ基準面と穿孔の深さとの間の距離を測定することを可能にする。
【００３７】
図面に示した実施例及び上述の説明は、限定するためのものではなく、単なる実施例である。
【図１】
2010196467.tif 000003
【図２】
2010196467.tif 000004
【図３】
2010196467.tif 000005
【図４】
2010196467.tif 000006